(57)【要約】      （修正有）【課題】全体的な輝度均一性を向上させるための二次元マイクロパターンを有する導光板導光板を提供する。【解決手段】出力面および底面の少なくとも一方が長さ方向に平行な第１方向ｙ軸および幅方向に平行な第２方向ｘ軸に分布したマイクロレンズを含む。さらに、前記マイクロレンズが第１領域においてｙに応じてのみ変動する面密度関数ＤＩ（ｙ）、第２領域においてｙに応じてのみ変動する面密度関数ＤＩＩ（ｙ）および第３領域においてｘおよびｙ双方に応じて変動する面密度関数ＤＩＩＩ（ｘ，ｙ）を有し、面密度関数ＤＩ（ｙ）、ＤＩＩ（ｙ）は同じ第１のｙ値においてそれぞれ最小値ＤＩｍｉｎ、ＤＩＩｍｉｎ、および同じ第２のｙ値において最大値ＤＩｍａｘ、ＤＩＩｍａｘを有し、１．０８≧ＤＩＩｍｉｎ／ＤＩｍｉｎ≧１．０２、ＤＩＩｍａｘ／ＤＩｍａｘ≧１．２０、および所定のｘについてＤＩＩ（ｙ）＞ＤＩＩＩ（ｘ，ｙ）＞ＤＩ（ｙ）である。【選択図】図１
2013145744.tif 000002
【特許請求の範囲】
【請求項１】
複数の離散した光源からの光を受け取るための入力面、光を放射するための出力面、および前記出力面に対して反対側の底面を含む導光板であって、
前記出力面および底面の少なくとも一方がマイクロパターンを有し、前記マイクロパターンが長さ方向に平行な第１方向ｙ軸および幅方向に平行な第２方向ｘ軸に分布したマイクロレンズを含み、
前記マイクロレンズが第１領域においてｙに応じてのみ変動する面密度関数ＤＩ（ｙ）、第２領域においてｙに応じてのみ変動する面密度関数ＤＩＩ（ｙ）および第３領域においてｘおよびｙ双方に応じて変動する面密度関数ＤＩＩＩ（ｘ，ｙ）を有し、面密度関数ＤＩ（ｙ）、ＤＩＩ（ｙ）はそれぞれ同じ第１のｙ値において最小値ＤＩｍｉｎ、ＤＩＩｍｉｎ、および同じ第２のｙ値において最大値ＤＩｍａｘ、ＤＩＩｍａｘを有し、
１．０８≧ＤＩＩｍｉｎ／ＤＩｍｉｎ≧１．０２、
ＤＩＩｍａｘ／ＤＩｍａｘ≧１．２０、および
所定のｘについてＤＩＩ（ｙ）＞ＤＩＩＩ（ｘ，ｙ）＞ＤＩ（ｙ）である
導光板。
【請求項２】
マイクロパターン領域の面積に対する前記第１領域の面積の比率が６０〜８０パーセントである、請求項１に記載の導光板。
【請求項３】
マイクロパターン領域の面積に対する前記第２領域の面積の比率が５〜２０パーセントである、請求項１に記載の導光板。
【請求項４】
マイクロパターン領域の面積に対する前記第３領域の面積の比率が１０〜３０パーセントである、請求項１に記載の導光板。
【請求項５】
前記複数のマイクロレンズの幅、長さおよび深さの変動が１．８パーセント以内である、請求項１に記載の導光板。
【請求項６】
前記複数のマイクロレンズの配向角の変動が２度以内である、請求項１に記載の導光板。
【発明の詳細な説明】
【技術分野】
【０００１】
本発明は概して導光板に関し、より具体的にはバックライトの全体的な輝度均一性を向上させるための二次元マイクロパターンを有する導光板に関する。
【背景技術】
【０００２】
液晶ディスプレイ（ＬＣＤ）は、多くのコンピュータ、器具およびエンターテイメント用途に好ましいディスプレイタイプになってきており、コストおよび性能面での改良が続けられている。典型的なＬＣＤ携帯電話、ノートブックおよびモニターは光源からの光を受け取り、その光を導光板の光出力面にわたって均一に再分配するための導光板（ＬＧＰ）を含む。従来長い線状の冷陰極蛍光ランプであった光源は、発光ダイオード（ＬＥＤ）のような複数の離散した光源に進化してきた。ＬＥＤバックライトにおける増大した輝度均一性を達成するために、導光板の辺および隅付近の輝度変動が対処されることを必要とする。
【０００３】
隅付近の光反射もしくは取り出しフィーチャの密度を増大させることによって隅付近の輝度変動を抑制し、あるとしてもごく少ないがＬＧＰの辺付近の輝度変動も抑制するいくつかのＬＧＰが提案されてきた。隅付近の輝度変動を抑制するこれらＬＧＰは典型的には、米国特許第７，４７８，９４２号（キムら）に開示されるような異なるサイズの２以上の組のドットを有する。
【先行技術文献】
【特許文献】
【０００４】
【特許文献１】米国特許第７，４７８，９４２号明細書
【発明の概要】
【発明が解決しようとする課題】
【０００５】
先行技術のＬＧＰはある程度は隅付近の輝度変動を抑制することができるが、それらＬＧＰの製造における複雑さのせいでそれらは依然として満足できるものではない。よって、容易に製造されることができかつＬＧＰの隅および辺付近の輝度変動を抑制できるＬＧＰについての必要性が存在している。
【課題を解決するための手段】
【０００６】
本発明は、複数の離散した光源からの光を受け取るための入力面、光を放射するための出力面、および前記出力面に対して反対側の底面を含む導光板であって、前記出力面および底面の少なくとも一方がマイクロパターンを有し、前記マイクロパターンが長さ方向に平行な第１方向ｙ軸および幅方向に平行な第２方向ｘ軸に分布したマイクロレンズを含み、前記マイクロレンズが第１領域においてｙに応じてのみ変動する面密度関数ＤＩ（ｙ）、第２領域においてｙに応じてのみ変動する面密度関数ＤＩＩ（ｙ）および第３領域においてｘおよびｙ双方に応じて変動する面密度関数ＤＩＩＩ（ｘ，ｙ）を有し、面密度関数ＤＩ（ｙ）、ＤＩＩ（ｙ）はそれぞれ同じ第１のｙ値において最小値ＤＩｍｉｎ、ＤＩＩｍｉｎ、および同じ第２のｙ値において最大値ＤＩｍａｘ、ＤＩＩｍａｘを有し、１．０８≧ＤＩＩｍｉｎ／ＤＩｍｉｎ≧１．０２、ＤＩＩｍａｘ／ＤＩｍａｘ≧１．２０であり、および所定のｘについてＤＩＩ（ｙ）＞ＤＩＩＩ（ｘ，ｙ）＞ＤＩ（ｙ）である導光板を提供する。
【図面の簡単な説明】
【０００７】
【図１】図１は本発明の導光板を含む複数の光学部品を含む典型的なＬＣＤの側面図を示す。
【図２Ａ】図２Ａは複数のマイクロレンズを示し、そのいくつかは実質的に同じであってかつ本発明に有用である。
【図２Ｂ】図２Ｂは複数のマイクロレンズを示し、面密度を説明する。
【図３Ａ】図３Ａは比較例の一次元関数を有する導光板の上面図を示す。
【図３Ｂ】図３Ｂは図３Ａに示された導光板上で実行されたｙ軸における密度関数を示す。
【図３Ｃ】図３Ｃは図３Ａに示された導光板上で実行されたｘ軸における密度関数を示す。
【図３Ｄ】図３Ｄは図３Ａに示された導光板から測定された軸上輝度の等値線プロットを示す。
【図３Ｅ】図３Ｅは図３Ｄから得られるｘ軸における輝度プロットを示す。
【図４Ａ】図４Ａは本発明の疑似二次元密度関数を有する導光板の上面図を示す。
【図４Ｂ】図４Ｂは図４Ａに示された導光板上で実行されたｙ軸における密度関数を示す。
【図４Ｃ】図４Ｃは図４Ａに示された導光板上で実行されたｘ軸における密度関数を示す。
【図４Ｄ】図４Ｄは図４Ａに示された導光板から測定された軸上輝度の等値線プロットを示す。
【図４Ｅ】図４Ｅは図４Ｄから得られるｘ軸における輝度プロットを示す。
【発明を実施するための形態】
【０００８】
図１は、ＬＣＤパネル２５およびバックライトユニット２８を含むＬＣＤディスプレイ装置３０の側面図を概略的に示す。バックライトユニット２８は、１もしくは２枚のプリズム膜２０、２０ａ、１もしくは２枚の拡散膜２４、２４ａ、下部反射膜２２、上部反射膜２６および導光板（ＬＧＰ）１０を含む複数の光学部品を含む。ＬＧＰ１０は、それが１以上の光源２１２から放射された光をその入力面１８を通して受け取り、その放射された光をその底面１７、終端面１４、出力面１６、側面１５ａ、１５ｂ（示されていない）および反射膜２２によって方向変換し、そして最終的に光を比較的均一に他の光学部品に提供するという点で、他の光学部品とは異なっている。目標にされる輝度均一性は、底面１７および／または出力面１６上のマイクロレンズ１００の密度、サイズおよび／または配向（場合によっては、離散した要素または光取り出し体（ｌｉｇｈｔ  ｅｘｔｒａｃｔｏｒ）とも称される）を制御することにより達成される。上部反射膜２６は典型的にはＬＧＰ１０を光入力面から約２〜５ミリメートルにわたって覆って、光の向上したミキシングを可能にする。上部反射膜２６は高度に反射性の内面２６ａを有する。上部反射膜２６は黒色外面２６ｂを有していてよく、よって「黒色テープ」と称される。典型的には、バックライトの輝度は、上部反射膜２６の端であるポイントＡから評価され、表示画面を通ってＬＧＰの端まで進む。
【０００９】
本発明のＬＧＰ１０は二次元マイクロパターンを有し、この二次元マイクロパターンは、場合によっては、複数の実質的に同じマイクロレンズ１００からなり、かつこのマイクロレンズの密度は２つの次元において一般的には変化する。以下に、「実質的に同じマイクロレンズ」およびこのマイクロレンズの密度が説明される。
【００１０】
２つのマイクロレンズは完全に同じではないが、複数のマイクロレンズが同じ形状および同じ配向を有する場合には、それらは「実質的に同じ」であると見なされる。より具体的には、それらの長さ、幅および深さの変動が好ましくは±３マイクロメートル（μｍ）（すなわち、５６μｍサイズのマイクロレンズについては５．４％）以内、より好ましくは±１μｍ（すなわち、５６μｍサイズのマイクロレンズについては１．８％）以内であり、かつそれらの配向角の変動は好ましくは±５度以内、より好ましくは±２度以内である。
【００１１】
ここで、図２Ａを参照すると、マイクロレンズ１００ａ、１００ｂ、１００ｃ、１００ｄは、それら全てが同じ形状および同じ配向を有するので実質的に同じであると見なされる。それらは同じ幅ｗ、長さｌおよび深さ（示されていない）を有するので、それらは同じ形状を有する。マイクロレンズ１００ｅ、１００ｆ、１００ｇはマイクロレンズ１００ａとは実質的に同じではないが、その理由はマイクロレンズ１００ｅ、１００ｆ、１００ｇはマイクロレンズ１００ａと同じ形状を有するけれども、マイクロレンズ１００ｅ、１００ｆ、１００ｇはマイクロレンズ１００ａとは異なる配向を有しているからである。マイクロレンズ１００ｈはマイクロレンズ１００ａとは実質的に同じではないが、その理由は、マイクロレンズ１００ｈは円形形状であるがマイクロレンズ１００ａは楕円形だからである。マイクロレンズ１００ｉはマイクロレンズ１００ａとは実質的に同じではないが、その理由は、それらは両方とも楕円形であるけれども、マイクロレンズ１００ｉはマイクロレンズ１００ａよりも実質的に大きいからである。
【００１２】
実質的に同じツールから同じプロセスによって「実質的に同じ」マイクロレンズが製造される。これらツールが同じ目標サイズおよび形状で同じプロセスによって造られるかまたはこれらツールが通常のツール摩耗分だけ互いに異なっている場合には、これらツールは実質的に同じであると見なされる。
【００１３】
実質的に同じマイクロレンズを使用する利点は、それらを製造するのが容易であることであるが、その理由は１つのツールまたは複数の同じツールしか必要とされないからである。比較として、異なるサイズを有するマイクロレンズの２組以上がＬＧＰにおいて使用される場合には、２組以上のツールが必要とされるか、または異なる製造プロセスが必要とされる。しかし、本発明に従うＬＧＰは異なるサイズのマイクロレンズを使用してもよい。
【００１４】
数密度（ＮＤ）は単位面積あたりのマイクロレンズの数として定義され、および面密度Ｄは単位面積あたりのマイクロレンズの合計面積として定義され、この場合単位面積は実用のために、典型的には０．５〜１．５ｍｍ２のオーダーで選択される。図２Ｂを参照すると、単位面積６０は幅ΔＷ０および長さΔＬ０によって画定される。単位面積６０は６つのマイクロレンズ１０１ａ〜１０１ｆを含み、これらマイクロレンズはそれぞれ幅ｗ０および長さｌ０を有する。数密度ＮＤは６／（ΔＷ０ΔＬ０）に等しく、一方、面密度Ｄは６（ｗ０ｌ０）／（ΔＷ０ΔＬ０）に等しい。選択される単位面積の境界を１以上のレンズが横切っている場合には、数密度は分数の数であり得る。以下において、二次元もしくは一次元密度とはマイクロレンズの面密度Ｄをいう。また、密度および密度関数は交換可能に使用される。
【００１５】
図３Ａは、比較例の１次元密度関数を有するＬＧＰ１０ａの上面図を示す。ＬＧＰ１０ａは離散した光源２１２から放射された光を受け取る。具体的には、光源２１２は３６個のＬＥＤである。幅ＷＬＧＰ（ここで、ＷＬＧＰはほぼ１６０ミリメートル（ｍｍ）である）および長さＬＬＧＰ（ここで、ＬＬＧＰはほぼ２００ｍｍである）を有するＬＧＰ１０ａはその底面１７にマイクロパターンを有する。この幅方向は光源２１２に対して平行であり、一方で、この長さ方向は光源２１２に対して垂直である。マイクロパターンはマイクロレンズを含み、このマイクロレンズはｘに応じてではなくｙに応じて（ここで、ｘ軸は幅方向に対して平行であり、かつｙ軸は長さ方向に対して平行である）変動する一次元密度関数Ｄ（ｙ）を有する。ｙ＝０の値はマイクロパターンの始まりに対応しており、一方、ｙ＝１はマイクロパターンの終わりに対応している。この密度関数Ｄ（ｙ）は側面１５ａから側面１５ｂまで同じｙについては同じままである。密度関数Ｄ（ｙ）は異なる方向に沿って図３Ｂおよび３Ｃにプロットされる。図３Ｂにおいては、密度関数Ｄ（ｙ）はｙの関数としてプロットされる。図３Ｃにおいては、密度関数Ｄ（ｙ）はｙ＝０．１８、ｙ＝０．５およびｙ＝０．８２での３６個のＬＥＤのそれぞれの位置に応じたｘの関数としてプロットされる。
【００１６】
図３Ｄは、図３Ａに従って画定されるｙ＝０．０９〜ｙ＝０．９１の間で測定された軸上輝度の等値線プロットを示す。それは、ｙ＝０．１８、ｙ＝０．５およびｙ＝０．８２に対応する３本の水平線に沿った大きな変動を示す。これら３本の水平線のそれぞれにおける輝度の詳細は図３Ｅに示され、そこでは軸上輝度が３６個のＬＥＤのそれぞれの位置に応じて表されるｘの関数としてプロットされる。２つの側面付近の輝度レベルが中央におけるものよりも低いことが明らかに認められる。より具体的には、最小輝度値の最大輝度値に対する比率はｙ＝０．１８において約７５％にすぎない。この比率はＬＧＰ１０ａが達成しうる最大均一性を制限する。
【００１７】
理想的には、図３Ｄに示される軸上輝度の等値線プロットは中央線２００に関して対称であるべきである。しかし、ＬＧＰの製造プロセスにおける固有変動のせいで、このような非対称輝度分布を認めるのが一般的である。
【００１８】
図４Ａは本発明に従う疑似二次元密度関数を有するＬＧＰ１０ｂの上面図を示す。ＬＧＰ１０ｂはＬＧＰ１０ａと同じ幅ＷＬＧＰおよび長さＬＬＧＰを有し、かつ同じ３６個の光源２１２からの光を受け取る。しかし、ＬＧＰ１０ｂの底面１７のマイクロパターンは、疑似二次元密度関数を有するマイクロレンズを含む。この疑似二次元密度関数は、三次元関数ＤＩ（ｙ）、ＤＩＩ（ｙ）およびＤＩＩＩ（ｘ，ｙ）を３つのそれぞれの領域において含む。密度関数ＤＩ（ｙ）は一次元であり、かつ第１領域１１０に分布しており、この第１領域はｘ軸に沿ったＬＧＰ１０ｂの中央部分に位置している。密度関数ＤＩＩ（ｙ）は一次元であり、かつ第２領域に分布しており、この第２領域は２つのサブ領域１１２ａ、１１２ｂを含み、これらサブ領域はＬＧＰ１０ｂの２つの側面１５ａ、１５ｂの付近に位置している。密度関数ＤＩＩＩ（ｘ，ｙ）は二次元であり、かつ第３領域に分布しており、この第３領域は２つのサブ領域１１４ａ、１１４ｂを含む。サブ領域１１４ａおよび１１４ｂは、サブ領域１１２ａと領域１１０との間およびサブ領域１１２ｂと領域１１０との間にそれぞれ位置している。
【００１９】
同じｙ値では、密度関数ＤＩＩ（ｙ）は常にＤＩ（ｙ）よりも大きい。さらに、ＤＩＩ（ｙ）およびＤＩ（ｙ）はそれぞれ、同じ第１のｙ値において最小値ＤＩｍｉｎおよびＤＩＩｍｉｎ、並びに同じ第２のｙ値において最大値ＤＩｍａｘおよびＤＩＩｍａｘを有する。さらに、比率ＤＩＩｍｉｎ／ＤＩｍｉｎおよびＤＩＩｍａｘ／ＤＩｍａｘは下記条件を満足しなければならない：
１．０８≧ＤＩＩｍｉｎ／ＤＩｍｉｎ≧１．０２、および
ＤＩＩｍａｘ／ＤＩｍａｘ≧１．２０である。
さらに、所定のｘについてＤＩＩ（ｙ）＞ＤＩＩＩ（ｘ，ｙ）＞ＤＩ（ｙ）である。
【００２０】
ＤＩＩｍｉｎ／ＤＩｍｉｎが１．０２未満である場合には、隅１２０での輝度は依然として低すぎるであろう。しかし、ＤＩＩｍｉｎ／ＤＩｍｉｎが１．０８を超える場合には、どんなにＤＩＩｍａｘが高かろうともＤＩＩｍａｘが１．００を超えることができないので、側面１５ａおよび隅１２０ｂのいくつかの部分の付近の輝度は依然として低すぎるであろう。
【００２１】
図４Ｂはｙ軸に沿った密度関数ＤＩ（ｙ）、ＤＩＩ（ｙ）、ＤＩＩＩ（ｘ，ｙ）を示す。本発明の一実施例によると、同じｙ＝０．９５でＤＩ（ｙ）およびＤＩＩ（ｙ）が最大値ＤＩｍａｘ＝０．５５３およびＤＩＩｍａｘ＝０．６９７をそれぞれ有する。同じｙ＝０．０１でＤＩ（ｙ）およびＤＩＩ（ｙ）が最小値ＤＩｍｉｎ＝０．０５８およびＤＩＩｍｉｎ＝０．０６０をそれぞれ有する。よって、ＤＩＩｍｉｎ／ＤＩｍｉｎ＝１．０３４およびＤＩＩｍａｘ／ＤＩｍａｘ＝１．２６である。ＤＩＩＩ（ｘ，ｙ）も、所定のｘについて、ｙ＝０．９５で最大値を有し、かつｙ＝０．１で最小値を有する。
【００２２】
図４Ｃは同じ本発明の実施例による、３６個の光源のそれぞれの位置に応じて表されるｘ軸に沿った密度関数ＤＩ（ｙ）、ＤＩＩ（ｙ）、ＤＩＩＩ（ｘ，ｙ）を示す。ｙ＝０．１８、ｙ＝０．５、０．８２および０．９５に対応する４本の密度曲線がプロットされる。この実施例においては、密度関数ＤＩ（ｙ）を有する第１領域の面積の、その同じ領域のマイクロパターン形成された面積に対する比率は約７２％であり、密度関数ＤＩＩ（ｙ）を有する第２領域の面積の、その同じ領域のマイクロパターン形成された面積に対する比率は約１１％（２つのサブ領域を含む）であり、並びに密度関数ＤＩＩＩ（ｘ，ｙ）を有する第３領域の面積の、その同じ領域のマイクロパターン形成された面積に対する比率は約１７％（２つのサブ領域を含む）である。
【００２３】
図４Ｄは本発明のＬＧＰ１０ｂから測定された軸上輝度の等値線プロットを示す。図３Ｄに示されるような比較のＬＧＰ１０ａから測定された軸上輝度の等値線プロットと比較して、ｙ＝０．１８、ｙ＝０．５およびｙ＝０．８２に対応する３本の水平線に沿った変動はかなりより小さい。図４Ｅは３６個のＬＥＤのそれぞれの位置に応じて表されるｘの関数としての軸上輝度のプロットを示す。本発明のＬＧＰ１０ｂについての図４Ｅと比較のＬＧＰ１０ａについての図３Ｅとの比較は、測定点が２つの側面間を移動する場合でのより小さな輝度変動を明らかに示す。具体的には、本発明のＬＧＰ１０ｂに従って、最小輝度値の最大輝度値に対する比率は、ｙ＝０．１８、ｙ＝０．５およびｙ＝０．８２においてそれぞれ約９２％、９２％および８９％である。これに対して、比較のＬＧＰ１０ａに従って、最小輝度値の最大輝度値に対する比率は、ｙ＝０．１８、ｙ＝０．５およびｙ＝０．８２においてそれぞれ約７５％、８０％および８６％である。
【００２４】
本発明のＬＧＰ１０ｂにおける複数のマイクロレンズは上述のように実質的に同じであるのが好ましいことが強調されるべきである。しかし、ＬＧＰ１０ｂにおけるマイクロレンズは異なるサイズおよび配向角を有していてもよい。
【００２５】
上記本発明の実施例においては、マイクロパターン形成された領域の面積に対する密度関数ＤＩ（ｙ）、ＤＩＩ（ｙ）、ＤＩＩＩ（ｘ，ｙ）を有する第１領域、第２領域および第３領域の面積の比率はそれぞれ７２％、１１％および１７％であるとしても、これら比率は様々な幅および長さを有するＬＧＰについて広範囲でありうることが理解されるべきである。具体的には、マイクロパターン形成された領域の面積に対する密度関数ＤＩ（ｙ）を有する第１領域の面積の比率は、６０％〜８０％でありうる。マイクロパターン形成された領域の面積に対する密度関数ＤＩＩ（ｙ）を有する第２領域の面積の比率は、５％〜２０％でありうる。マイクロパターン形成された領域の面積に対する密度関数ＤＩＩＩ（ｘ，ｙ）を有する第３領域の面積の比率は、１０％〜３０％でありうる。
【００２６】
本発明を実践するために、多くのポリマー材料が選択されうる。選択される材料は実際の使用中の破砕および歪みを最小限にするのに充分に強靱でなければならない。しかし、最も重要なことには、選択される材料は可視範囲のスペクトルにわたって高水準の透過率および低い色を有しなければならない。本発明において有用な材料には、これに限定されないが、ポリ（メチルメタクリラート）（ＰＭＭＡ）、耐衝撃性改良ＰＭＭＡおよび他のアクリル系ポリマー、ポリカルボナート、ポリシクロオレフィン、環式ブロックコポリマー、ポリアミド、スチレン系物質、ポリスルホン、ポリエステル、ポリエステル−カルボナート、並びにこれらの様々な混和性ブレンドが挙げられる。
【符号の説明】
【００２７】
１０、１０ａ、１０ｂ  導光板（ＬＧＰ）
１４  終端面
１５ａ、１５ｂ  側面
１６  出力面
１７  底面
１８  入力面
２０、２０ａ  プリズム膜
２２  下部反射膜
２４、２４ａ  拡散膜
２５  ＬＣＤパネル
２６  上部反射膜
２６ａ  内面
２６ｂ  外面
２８  バックライトユニット
３０  ＬＣＤディスプレイ装置
６０  単位面積
１００、１０１ａ〜１０１ｆ  マイクロレンズ
１１０  第１領域
１１２ａ、１１２ｂ  サブ領域
１１４ａ、１１４ｂ  サブ領域
１２０ｂ  隅
２１２  光源
【図１】
2013145744.tif 000003
【図２Ａ】
2013145744.tif 000004
【図２Ｂ】
2013145744.tif 000005
【図３Ａ】
2013145744.tif 000006
【図３Ｂ】
2013145744.tif 000007
【図３Ｃ】
2013145744.tif 000008
【図３Ｄ】
2013145744.tif 000009
【図３Ｅ】
2013145744.tif 000010
【図４Ａ】
2013145744.tif 000011
【図４Ｂ】
2013145744.tif 000012
【図４Ｃ】
2013145744.tif 000013
【図４Ｄ】
2013145744.tif 000014
【図４Ｅ】
2013145744.tif 000015
【外国語明細書】
2013145744000001.pdf
2013145744000002.pdf
2013145744000003.pdf
2013145744000004.pdf